(57)【特許請求の範囲】
【請求項１】
その先端部において直角二等辺逆三角形状の先端管部（４）を備えた横断切り口がL字状の細長棒（２）、その両端部において半欠き状に削成された先端切り欠き部（７）と後端切り欠き部（８）とを備えた、上記L字状の細長棒（２）と同じ長さの横断切り口が正四角形管状の細長棒（３）、および上記L字状の細長棒（２）の後端部（５）と上記正四角形管状の細長棒（３）の後端切り欠き部（８）とを嵌合密着合体させるための用具で、上記先端管部（４）と同じ長さの直角二等辺逆三角形管状の留め具（６）との三つの部材からなる新聞ホルダーであって、上記正四角形管状の細長棒（３）の先端部に設けられた上記先端切り欠き部（７）は、上記L字状の細長棒（２）の先端部に設けられた上記直角二等辺逆三角形状の先端管部（４）内へ嵌挿したり同先端管部（４）から抜脱できるよう、上記正四角形管状の細長棒（３）の先方の途中から同細長棒（３）の先端へ向けて、同先端管部（４）と同じ長さ分だけ半欠き状に削成され、かつ同先端管部（４）内の最深奥部まで嵌挿し切った段階で、同管状の細長棒（３）前方の半欠き始め部分が同先端管部（４）の入り口部分において寸分の間隙なく完全に密着合体できるよう、同半欠き始め部分から先端へ向けて緩やかな傾斜角度をもって先細りするテーパ状に削成されたことを特徴とし、また、上記正四角形管状の細長棒（３）の後端部に設けられ上記後端切り欠き部（８）は、上記L字状の細長棒（２）の後端部（５）と合わせて、上記直角二等辺逆三角形管状の留め具（６）内へ嵌挿したり同留め具（６）から抜脱できるよう、上記正四角形管状の細長棒（３）の後方の途中から同細長棒（３）の後端へ向けて、同留め具（６）と同じ長さ分だけ半欠き状に削成され、かつ上記L字状の細長棒（２）の後端部（５）と合わせて、同留め具（６）内の最深奥部まで嵌挿し切った段階で、同管状の細長棒（３）後方の半欠き始め部分が同留め具（６）の入り口部分において寸分の間隙なく完全に密着合体できるよう、同半欠き始め部分から後端へ向けて緩やかな傾斜角度をもって先細りするテーパ状に削成されたことを特徴とする新聞ホルダー。
【発明の詳細な説明】
【技術分野】
【０００１】
この発明は、複数枚の新聞を、新聞の枚数（厚さ）の多寡に応じ、また、半紙を含む新聞をも確実に挟持し固定する新聞ホルダーに関する。
【背景技術】
【０００２】
新聞ホルダーには各種のものがあるが、一般的には、下面開口する横長U字溝状のフレームの前板の複数箇所に前方より押圧ねじを螺入し、その内端に枢設した押圧板とフレームの後板の間に、複数枚の新聞の端部を挿入してから、押圧ねじを螺締するようになっている。
【０００３】
また、実公昭６２−３７７５２号公報には、上記したのと類似するフレーム内に設けた新聞押圧部材を，フレームの前面に枢設したレバーにより駆動して、新聞を、押圧部材とフレームの後板の間に挟持するようにした新聞綴じ具が開示されている。
【０００４】
さらに、特開２００３−２５１９７７公報には、チャンネルとロッドを使った新聞バインダーが開示されているが、これは分厚い新聞や半紙の入った新聞の挟持には不向きである。
【発明の開示】
【発明が解決しようとする課題】
【０００５】
新聞をホルダーに確実に挟持するためには、新聞の枚数（厚さ）に対応する挟持力が必要であるが、上記０００２記載の「押圧ねじ式」のものは、挟持力の強弱を操作する人の感覚に頼るため、挟持力に個人差が生じ、また前記０００３記載の「レバー式」のものは、挟持力が一定であるため、挟持する新聞が多量の場合、挟持力が不足して挟持した新聞が新聞ホルダーより脱落することがあり、０００４記載のチャンネル・ロッド式のものは分厚い新聞をチャンネルとロッドの間に入れられず挟持できない。
【０００６】
また、０００４記載のチャンネル・ロッド式のようなものでは、半紙を含む新聞の半紙はロッドからすり抜けてしまう。
【０００７】
また、前記「押圧ねじ式」のものや「レバー式」のものは複数枚の新聞の端部を挿入するときに、新聞を挿入しすぎて、肝心な新聞の文字が隠れてしまうことが散見される。
【０００８】
本発明は、新聞の枚数（厚さ）に関係なく、また半紙を含む新聞をも簡単且つ確実に挟持できるようにした新聞ホルダーを提供することを目的としている。
【課題を解決するための手段】
【０００９】
本発明は、その先端部において直角二等辺逆三角形状の先端管部（４）を備えた横断切り口がL字状の細長棒（２）、その両端部において半欠き状に削成された先端切り欠き部（７）と後端切り欠き部（８）とを備えた、上記L字状の細長棒（２）と同じ長さの横断切り口が正四角形管状の細長棒（３）、および上記L字状の細長棒（２）の後端部（５）と上記正四角形管状の細長棒（３）の後端切り欠き部（８）とを嵌合密着合体させるための用具で、上記先端管部（４）と同じ長さの直角二等辺逆三角形管状の留め具（６）との三つの部材からなる新聞ホルダーであって、上記正四角形管状の細長棒（３）の先端部に設けられた上記先端切り欠き部（７）は、上記L字状の細長棒（２）の先端部に設けられた上記直角二等辺逆三角形状の先端管部（４）内へ嵌挿したり同先端管部（４）から抜脱できるよう、上記正四角形管状の細長棒（３）の先方の途中から同細長棒（３）の先端へ向けて、同先端管部（４）と同じ長さ分だけ半欠き状に削成され、かつ同先端管部（４）内の最深奥部まで嵌挿し切った段階で、同管状の細長棒（３）前方の半欠き始め部分が同先端管部（４）の入り口部分において寸分の間隙なく完全に密着合体できるよう、同半欠き始め部分から先端へ向けて緩やかな傾斜角度をもって先細りするテーパ状に削成されたことを特徴とし、また、上記正四角形管状の細長棒（３）の後端部に設けられ上記後端切り欠き部（８）は、上記L字状の細長棒（２）の後端部（５）と合わせて、上記直角二等辺逆三角形管状の留め具（６）内へ嵌挿したり同留め具（６）から抜脱できるよう、上記正四角形管状の細長棒（３）の後方の途中から同細長棒（３）の後端へ向けて、同留め具（６）と同じ長さ分だけ半欠き状に削成され、かつ上記L字状の細長棒（２）の後端部（５）と合わせて、同留め具（６）内の最深奥部まで嵌挿し切った段階で、同管状の細長棒（３）後方の半欠き始め部分が同留め具（６）の入り口部分において寸分の間隙なく完全に密着合体できるよう、同半欠き始め部分から後端へ向けて緩やかな傾斜角度をもって先細りするテーパ状に削成されたことを特徴とする新聞ホルダーであり、新聞（１）の内側の真中のページを左右に概ね９０°開き、新聞の第一面と末尾面の中央の各余白部分をＬ字状の細長棒（２）のＬ字状溝部分の上に載せ、さらにその上に正四角形管状の細長棒（３）の下方に向いた直角凸部分がＬ字状の細長棒のＬ字状溝の最深部に嵌合するように押し当て、新聞を押し当てた正四角形管状の細長棒（３）を先端方向へスライドさせて、正四角形管状の細長棒の先端切り欠き部（７）がＬ字状の細長棒の先端管部（４）に挿入されるように押し込むとともに、正四角形管状の細長棒の下方に向いた直角凸部を新聞を載せたＬ字状の細長棒のＬ字状溝の最深部に強く押し当て、Ｌ字状の細長棒の後端部（５）と正四角形管状の細長棒の後端切り欠き部（８）にリング状の留め具（６）を嵌め込み、Ｌ字状の細長棒（２）と正四角形管状の細長棒（３）によって挟まれた新聞を圧接して固定することによって上述の課題は解決される。
【発明の効果】
【００１０】
この発明は、枚数の多い分厚い新聞から枚数の少ない薄い新聞まで、新聞の厚さの大小にかかわらずしっかりと挟持し、また半紙を含む新聞の半紙をも確実に挟持できるよう、正四角形管状の細長棒の先端切り欠き部（７）は、新聞上端部から正四角形管状の細長棒の先端に向けて緩やかに先細りするような傾斜角度をもって切り欠き形成するとともに、正四角形管状の細長棒の後端切り欠き部（８）も、新聞下端部から正四角形管状の細長棒の後端に向けて緩やかに先細りするような傾斜角度をもって切り欠き形成されることによって、薄い新聞に対しては正四角形管状の細長棒（３）の先端切り欠き部（７）をＬ字状の細長棒の先端管部（４）の最奥部までしっかりと押し込み、分厚い新聞に対しては、正四角形管状の細長棒（３）の先端切り欠き部（７）を、新聞をしっかり挟持できる程度に至るまで適宜、Ｌ字状の細長棒の先端管部（４）の中へ押し込むことにより、新聞の厚さに応じた圧力で新聞を圧接固定することができる。
【００１１】
この発明は、前記００１０記載の工作や操作に加え、正四角形管状の細長棒（３）の新聞押圧面に摩擦係数が大きく弾性のある素材を貼付することによって、見開きすると半分にしかならない半紙も確実に圧接固定できるようになっている。
【発明を実施するための最良の形態】
【００１２】
前記０００２記載の「押圧ねじ式」のものや０００３記載の「レバー式」のものは複数枚の新聞の端部を挿入するときに、挿入しすぎて、肝心な新聞の文字が隠れてしまうことが散見されること前記０００７のとおりであるが、この発明は、Ｌ字状の細長棒（２）の新聞の折目部分を載せるＬ字状溝部の２面の各幅及び正四角形管状の細長棒（３）の新聞押圧面の２面の各幅がｃｍとなっており、新聞の各ページの中央折目部の余白部分の幅がちょうど１．０５ｃｍとなっていることと呼応して、決して新聞の文字を隠すことがないような構造になっている。
【実施例】
【００１３】
図１は、真中のページを開いた新聞（１）を、この「押圧嵌合式新聞ホルダー」のＬ字状の細長棒（２）と正四角形管状の細長棒（３）で圧接固定して留め具で留める過程の状況を略示した斜視図である。
【００１４】
図１１は、この発明の一実施例であり、真中のページを開いた新聞（１）を、この「押圧嵌合式新聞ホルダー」のＬ字状の細長棒（２）の上に載せ、その上から正四角形管状の細長棒（３）で圧接固定した上面図である。
【００１５】
図１２は、この発明の一実施例であり、真中のページを開いた新聞（１）を、この「押圧嵌合式新聞ホルダー」のＬ字状の細長棒（２）の上に載せ、その上から正四角形管状の細長棒（３）で圧接固定した断面図（図１中の切断面AーA´）である。
【００１６】
図１３は、この発明の一実施例であり、真中のページを開いた新聞（１）を、この「押圧嵌合式新聞ホルダー」のＬ字状の細長棒（２）の上に載せ、その上から正四角形管状の細長棒（３）で圧接固定し、Ｌ字状の細長棒（２）と正四角形管状の細長棒（３）の各下端を留め具（６）で固定した底面図である。
【００１７】
図１４は、この発明の一実施例であり、「押圧嵌合式新聞ホルダー」に新聞（１）をセットして、セットされた「押圧嵌合式新聞ホルダー」を新聞掛け（９）に掛けたところを略示した正面図である。
【図面の簡単な説明】
【００１８】
【図１】新聞ホルダーへ新聞を装着する過程の図  斜視図（中間部分割愛）
【図２】新聞ホルダー（ユニット）正面図（中間部分割愛）
【図３】Ｌ字状の細長棒  正面図（中間部分割愛）
【図４】正四角形管状の細長棒  正面図（中間部分割愛）
【図５】留め具  正面図
【図６】留め具  右側面図
【図７】留め具  底面図（上面図も同じ）
【図８】新聞ホルダー（ユニット）右側面図（中間部分割愛）
【図９】Ｌ字状の細長棒  右側面図（中間部分割愛）
【図１０】正四角形管状の細長棒  右側面図（中間部分割愛）
【図１１】新聞ホルダー使用の実施例  上面図
【図１２】新聞ホルダー使用の実施例  中央断面図（図１中の切断面AーA´）
【図１３】新聞ホルダー使用の実施例  底面図
【図１４】新聞をセットした新聞ホルダーを新聞掛けに掛けた図  正面図
【符号の説明】
【００１９】
（１）新聞
（２）Ｌ字状の細長棒
（３）正四角形管状の細長棒
（４）先端管部
（５）Ｌ字状の細長棒の後端部
（６）留め具
（７）先端切り欠き部
（８）後端切り欠き部
（９）新聞掛け
【図１】
0004224112.tif 000002
【図２】
0004224112.tif 000003
【図３】
0004224112.tif 000004
【図４】
0004224112.tif 000005
【図５】
0004224112.tif 000006
【図６】
0004224112.tif 000007
【図７】
0004224112.tif 000008
【図８】
0004224112.tif 000009
【図９】
0004224112.tif 000010
【図１０】
0004224112.tif 000011
【図１１】
0004224112.tif 000012
【図１２】
0004224112.tif 000013
【図１３】
0004224112.tif 000014
【図１４】
0004224112.tif 000015